(57)【特許請求の範囲】
【請求項１】
種籾を下部に供給する供給ホッパ（１１０）と、
前記供給ホッパ（１１０）の下部に結合して種籾の排出を司る供給ブロック（１２０）と、
前記供給ブロック（１２０）の内部に結合して一定量の種籾を排出させる供給具（１３０）と、
前記供給具（１３０）に結合して種籾の排出量を調節する調節アセンブリー（１４０）と、
前記供給ブロック（１２０）の底面に結合して内部にメインガイド片（１５１）を傾斜するように結合し、弾性によって下端が閉ざされた状態を維持するようにして、下降した種籾が集められて、地面に近接した待機状態を維持できるようにするガイド具（１５０）と、
前記ガイド具（１５０）の外部に設けて１点に集められた種籾を点播する点播調節具（１６０）と、
前記ガイド具（１５０）の内部に下向きに空気を吹き入れて種籾を１点に集める送風機（１７０）と、
前記ガイド具（１５０）の下端に結合して種籾を覆土する点播セッティング具（１８０）と、を備え、
前記点播調節具（１６０）は、供給具（１３０）のキーシャフト（１３８）に回転板（１６１）を結合して連動するようにし、回転板（１６１）の周りに複数の掛かり突起（１６２）を断続的に放射状に突出させ、回転板（１６１）の掛かり突起（１６２）と対応する作動バー（１６３）を、その上端部が掛かり突起（１６２）と接触可能であり、その接触時には作動バー（１６３）の軸方向と掛かり突起（１６２）の軸方向とが略平行になる配置とし、作動バー（１６３）にバネ（１６５）を、その付勢方向が掛かり突起（１６２）の移動方向と逆向きになる配置で設け、作動バー（１６３）の下部に、連結軸（１６４）を介して、メインガイド片（１５１）を、そのメインガイド片（１５１）の移動方向がバネ（１６５）の付勢方向と略平行になる配置で結合した
ことを特徴とする点播式播種機。
【請求項２】
前記供給具（１３０）の外周縁には、１つ以上の除去ピン（１３３）を突出させて、藁などの異物を容易に除去できるように構成した
請求項１に記載の点播式播種機。
【請求項３】
前記調節アセンブリー（１４０）は、供給ブロック（１２０）の一側に結合し、供給具（１３０）を左右にスライドさせる調節レバー（１４１）を備えて構成した
請求項１に記載の点播式播種機。
【請求項４】
前記ガイド具（１５０）には軸孔（１５２）を形成し、軸孔（１５２）の上側には種籾を一方向に誘導する補助ガイド片（１５３）を傾斜するように付着し、メインガイド片（１５１）の下部には多数個の排気孔（１５４）を穿孔し、メインガイド片（１５１）の排気孔（１５４）に対向するガイド具にも多数個の排気孔（１５４）を穿孔して構成した
請求項１に記載の点播式播種機。
【請求項５】
前記送風機（１７０）は、ガイド具（１５０）の内部と送風ホース（１７１）で連結し、送風ホース（１７１）の排気端が下向くようにして、種籾をガイド具（１５０）のメインガイド片（１５１）の下部に１点に集められるように構成した
請求項１に記載の点播式播種機。
【請求項６】
前記点播セッティング具（１８０）は、傾斜面を有する突出部（１８１）を下向きに突出させ、突出部（１８１）の左右に後方にガイド片（１８２）を立てて形成し、左右ガイド片（１８２）の間に押圧板（１８３）をピン結合して回動するように形成し、ガイド片（１８２）の高さより押圧板（１８３）を長く形成した
請求項１に記載の点播式播種機。
【発明の詳細な説明】
【技術分野】
【０００１】
本発明は、点播式播種機に関し、詳しくは、直播式栽培において種籾を直播し、正確に種籾を点播することで生産性を向上させると同時に、速やかな直播作業を可能にする点播式播種機に関する。
【背景技術】
【０００２】
一般的に、稲作は主に移秧栽培の方法で栽培されるが、稲の育苗過程と移秧過程を省略し、稲の育つべき田に直接に種籾を播種して生育させる直播式栽培方法が次第に増加しつつある傾向がある。
【０００３】
このような従来の直播式栽培は、一定量の種籾をホッパから順次排出し、直接に田に種籾を播種していたが、種籾の落ちる距離によって移動速度を高める場合、点播されないように条播によって播種されるため、非常に遅いスピードで移動しながら播種すべき場合、点播の状態で播種することが可能であった。
【０００４】
このような問題点を解消するために、特許文献１もあるが、これは回転筒で形成し、放射状で播種具を形成することで種籾の播種を可能にして、容易な点播が可能になるようにした。
【０００５】
しかし、このような従来の技術は、田の特性上、泥の状態の田の土が播種具の排出孔を頻繁に塞いで種籾の供給を防ぐようになり、これによって空播（種籾の播種されていない）を発生させるので、播種後に手作業で長時間にわたって空播を解消しなければならない問題があった。
【０００６】
さらに、ホッパに貯蔵していた種籾には、切断された藁などが含まれているところ、このような異物は播種具の排出孔を塞いで適正量の種籾の点播ができず邪魔になると共に、点播後に種籾を十分に覆うことができず生産性を低下してしまう問題があった。
【先行技術文献】
【特許文献】
【０００７】
【特許文献１】大韓民国実用新案登録出願第２０−２０００−０００９０１４号
【発明の概要】
【発明が解決しようとする課題】
【０００８】
本発明の主な目的は、種籾を直播する際に、条播を防ぎ、正確に点播して播種できるので、生産性を極大化できる点播式播種機を提供することにある。
【０００９】
本発明の他の目的は、空播を防いで、速いスピードで移動しながら種籾を点播することができるようにしたので、直播による作業時間を実質的に３〜４倍短縮可能にする点播式播種機を提供することにある。
【００１０】
本発明の他の目的は、直播する位置に溝を形成して種籾を点播すると同時に、種籾を覆って生育を活発に促して生産性を向上させる点播式播種機を提供することにある。
【００１１】
本発明の他の目的は、直播作業中に田の土や種籾に含まれている藁などの異物などによる種籾の排出通路が塞がれることを防いで、正確な量の種籾を安定的に供給して点播できるようにする点播式播種機を提供することにある。
【課題を解決するための手段】
【００１２】
上記の目的を達成するために、本発明の点播式播種機は、種籾を指定して下部に供給する供給ホッパと、前記供給ホッパの下部に結合して種籾の排出を取り締まる供給ブロックと、前記供給ブロックの内部に結合して一定量の種籾を排出させる供給具と、前記供給具に結合して種籾の排出量を調節する調節アセンブリーと、前記供給ブロックの底面に結合して種籾を下向きに誘導して１点に集めるガイド具と、前記ガイド具の外部に設けて１点に集められた種籾を点播する点播調節具と、前記ガイド具の内部に下向きに空気を吹き入れて種籾を１点に集める送風機と、前記ガイド具の下端に結合して種籾を覆土する点播セッティング具と、で形成するので、完璧な点播ができるように構成することをその技術的な構成上の基本特徴とする。
【発明の効果】
【００１３】
本発明の点播式播種機は、供給具の供給溝に一定量の種籾がガイド具に供給されれば、田づらに近接した状態で１点に集められた状態を維持した後、ガイド具のメインガイド片を回動させて１点に集められた種籾が田づらに落ちて点播されるものであって、送風機の送風によってさらに迅速かつ正確に点播することができると共に、点播セッティング具で直播用の溝を田づらに形成し、直播用の溝に種籾が点播した後、押圧板で種籾を覆い、初期成長に非常に有利であり、下部に田の土がついても衝撃エネルギーによって容易に落ちるようにするので、ガイド具の下端が塞がれる恐れがなく、これによって空播の発生を防いで、藁などの異物を除去し、異物によって１回の供給量の減少を防止することで正確な量の種籾の点播が可能になるようにするものである。
【００１４】
特に、種籾を直播する際に、条播を防ぎ、正確に点播して播種できるようにし、空播を防ぐことで別途の手作業が不要になると共に、速いスピードで移動しながら種籾を点播することができるので、直播による作業時間を著しく減らして作業効率を極大化し、直播する位置に溝を形成して種籾を点播すると同時に、種籾を覆って生育を活発に促して生産性を向上し、田の土や種籾に含まれている藁などの異物などによる種籾の排出通路が塞がれることを防いで、正確な量の種籾を安定的に供給して効率的な種籾の点播が可能になる効果がある。
【図面の簡単な説明】
【００１５】
【図１】本発明に係る点播式播種機を説明するために、設置状態を示した全体斜視図
【図２】本発明に係る点播式播種機を説明するために、分解状態を示した斜視図
【図３】本発明に係る点播式播種機を説明するために、結合状態を示した斜視図
【図４】本発明に係る点播式播種機を説明するために、結合状態を示した断面図
【図５】本発明に係る点播式播種機を説明するために、異物の除去及び種籾の供給前の状態を示した断面図
【図６】本発明に係る点播式播種機を説明するために、異物の除去及び種籾の供給後の状態を示した断面図
【図７】本発明に係る点播式播種機を説明するために、ガイド具の一部を切開して示した斜視図
【図８】本発明に係る点播式播種機を説明するために、ガイド具の点播前の状態を示した断面図
【図９】本発明に係る点播式播種機を説明するために、ガイド具の点播後の状態を示した断面図
【図１０】本発明に係る点播式播種機を説明するために、ガイド具と点播調節具の作動状態を展開して示した断面図
【図１１】本発明に係る点播式播種機を説明するために、点播セッティング具を示した斜視図
【図１２】本発明に係る点播式播種機を説明するために、点播セッティング具の結合状態を示した斜視図
【図１３】本発明に係る点播式播種機を説明するために、点播セッティング具の他の結合状態を示した斜視図
【図１４】本発明に係る点播式播種機を説明するために、点播セッティング具の初期の動作状態を示した断面図
【図１５】本発明に係る点播式播種機を説明するために、点播セッティング具の中期の動作状態を示した断面図
【図１６】本発明に係る点播式播種機を説明するために、点播セッティング具の末期の動作状態を示した断面図
【発明を実施するための形態】
【００１６】
以下、添付した図面を参照しながら、本発明の実施例について詳細に説明する。
【００１７】
図１〜１６に示すように、本発明の点播式播種機１００は、種籾を指定して下部に供給する供給ホッパ１１０と、前記供給ホッパ１１０の下部に結合して種籾の排出を取り締まる供給ブロック１２０と、前記供給ブロック１２０の内部に結合して一定量の種籾を排出させる供給具１３０と、前記供給具１３０に結合して種籾の排出量を調節する調節アセンブリー１４０と、前記供給ブロック１２０の底面に結合して種籾を下向きに誘導して１点に集めるガイド具１５０と、前記ガイド具１５０の外部に設けて１点に集められた種籾を点播する点播調節具１６０と、前記ガイド具１５０の内部に下向きに空気を吹き入れて種籾を１点に集める送風機１７０と、前記ガイド具１５０の下端に結合して種籾を覆土する点播セッティング具１８０と、で構成する。
【００１８】
前記供給ホッパ１１０は下向きに排出口を形成し、排出口に遮断板１１２を水平に結合して排出口を開閉可能にする。
【００１９】
さらに、供給ホッパ１１０の上部を開口して種籾を容易に投入できるようにし、カバー１１１を備えて形成する。
【００２０】
前記供給ブロック１２０は、供給ホッパ１１０の下部に結合して垂直に連通させ、上側と下側に流入口１２１と排出口１２３を形成し、流入口１２１の一側に保護用ブラシ１２２を取り付ける。
【００２１】
さらに、供給ブロック１２０は左右に貫通する軸孔１２４を穿孔し、異物遮断用ブラシ１２２と平行に形成することが望ましい。
【００２２】
また、供給ブロック１２０は支持フレーム１０１に強固に結合して形成することが望ましい。
【００２３】
前記供給具１３０は、供給ブロック１２０の軸孔１２４に嵌め込んで回転するように貫通させ、流入口１２１を遮断する。
【００２４】
さらに、供給具１３０は回転軸１３２の外周縁に長さ方向に多数個の供給溝１３１を等間隔に形成し、回転軸１３２の一側に環状の掛かり溝１３４を形成する。
【００２５】
ここで、供給具１３０の回転軸１３２は、長さ方向に軸孔を形成し、軸孔にブッシュ１３５をキーによって結合し、回転軸１３２が連動して回転できるようにすると同時に、左右にスライドされることを可能にする。
【００２６】
さらに、供給具１３０のブッシュ１３５には長さ方向に軸孔を形成し、軸孔にキーシャフト１３８を嵌め込んで貫通させる。
【００２７】
よって、キーシャフト１３８の回転によって供給具１３０が連動して回転するのである。
【００２８】
また、供給具１３０の外周縁には１つ以上の除去ピン１３３を突出させて藁などの異物を容易に除去可能にするので、異物が積もり続けて１回の種籾の供給量が減るのを防止できるようにすることが望ましい。
【００２９】
一方、キーシャフト１３８には、支持具１３６と駆動ギヤ１３７を備えて、パルスモーターなどの動力源（未図示）に結合させて、キーシャフト１３８を一定の角度で回転できるようにすることが望ましい。
【００３０】
前記調節アセンブリー１４０は、供給ブロック１２０の一側にフレーム１４６を結合し、フレーム１４６に軸孔１４４を形成して供給具１３０の掛かり溝１３４を内部側に位置するようにし、調節レバー１４１を備えて供給具１３０の掛かり溝１３４に連結し、これによって供給具１３０を左右にスライドさせることができるようにする。
【００３１】
ここで、調節レバー１４１には前端を軸ピン１４３で結合して左右に回動できるようにし、供給具１３０の掛かり溝１３４に嵌め込んで掛かっている状態を維持させる調節ピン１４５を形成する。
【００３２】
よって、調節レバー１４１を左右に制御すれば調節ピン１４５が掛かり溝１３４に掛かっている状態を維持するため、供給具１３０が左右にスライドして移動するようになり、これによって供給具１３０の外周縁に形成した供給溝１３１の露出程度を調節するので、点播しようとする種籾の１回の排出量を調節可能にするのである。
【００３３】
前記ガイド具１５０は、供給ブロック１２０の底面に下向きに結合して供給ブロック１２０の排出口１２３に連通させ、下端を田づらに近接させる。
【００３４】
さらに、ガイド具１５０の内部にはメインガイド片１５１を回動するように弾力を有するように設けて傾斜するように結合し、弾性によって閉じられた状態を維持するようにして、下降した種籾が集められて地面に近接した待機状態を維持できるようにする。
【００３５】
また、ガイド具１５０には軸孔１５２を形成し、軸孔１５２の上側には種籾を一方向に誘導する補助ガイド片１５３を傾斜するように取り付け、メインガイド片１５１の下部には多数個の排気孔１５４を穿孔し、メインガイド片１５１の排気孔１５４に対向するガイド具にも多数個の排気孔１５４を穿孔し、排気孔１５４は種籾が抜き出されないサイズに穿孔して形成することが望ましい。
【００３６】
前記点播調節具１６０は、供給具１３０のキーシャフト１３８に回転板１６１を結合して連動させ、回転板１６１の周りに放射状に掛かり突起１６２を突出させる。
【００３７】
さらに、回転板１６１の掛かり突起１６２と対応する作動バー１６３を垂直に形成し、作動バー１６３にバネ１６５を結合して弾力を有するように設け、作動バー１６３の下端に連結軸１６４を結合する。
【００３８】
ここで、連結軸１６４は、ガイド具１５０の軸孔１５２を貫通させ、貫通させた連結軸１６４にメインガイド片１５１を結合してガイド具１５０を弾力を有するように設けるので、バネ１６５の自由状態でガイド具１５０が閉じられた状態を維持させる。
【００３９】
前記送風機１７０は、支持フレーム１０１に取り付けて固定し、ガイド具１５０の内部と送風ホース１７１に連結し、送風ホース１７１の排気端が下向くようにして種籾をガイド具１５０のメインガイド片１５１の下部に１点に集めるようにすることが望ましい。
【００４０】
前記点播セッティング具１８０は、支持フレーム１０１の下側に付着して田づらをそっと加圧し、前進する方向に傾斜面を有する突出部１８１を下向きに突出させて移動しながら直播用の溝を田づらに形成し、突出部１８１の左右に後方にガイド片１８２を立てて形成し、左右のガイド片１８２の間に押圧板１８３をピンによって結合して回動させる。
【００４１】
ここで、押圧板１８３はガイド片１８２の高さより長く形成して直進する際に、傾斜するように傾きながら引っ張られてきて、突出部１８１が形成した溝をまた覆い、点播させた種籾をそっと覆って覆土させる。
【００４２】
このような本発明の作用について説明すると、次のようである。
【００４３】
まず、移秧機などの運送手段に播種機１００を連結して結合した上、供給ホッパ１１０の遮断板１１２を開いて種籾を供給し、調節レバー１４１を制御して種籾の１回の排出量を調節し、播種機１００を移動させると同時に、キーシャフト１３８を回転させる。
【００４４】
この際、キーシャフト１３８の回転によって供給具１３０も連動して回転し、これによって供給具１３０の供給溝１３１に種籾が下部のガイド具１５０に落ちるようになる。
【００４５】
ここで、ガイド具１５０の内部に落ちた種籾は、閉じられた状態のメインガイド片１５１の下部に掛けられて集められると共に、送風機１７０の送風により正確に田づらに近接した状態で１点に集められた状態を維持する。
【００４６】
このような状態で、キーシャフト１３８に結合させた点播調節具１６０の回転板１６１も回転して連動するので、回転板１６１の周りに放射状に突出された掛かり突起１６２が引っ張られ、密着状態の作動バー１６３を押して回動させる。
【００４７】
よって、作動バー１６３にバネ１６５は伸張すると共に、作動バー１６３の下端に結合させた連結軸１６４も回転し、これによって連結軸１６４に結合させたガイド具１５０のメインガイド片１５１が回動して下部が開かれるようになるので、１点に集められた種籾が田づらに落ちて点播されるのである。
【００４８】
さらに、送風機１７０の送風によってさらに迅速かつ正確に点播することができる。
【００４９】
また、点播セッティング具１８０の突出部１８１が荷重によって田づらをそっと加圧しながら前進するので、直播用の溝を田づらに形成するようになり、直播用の溝に種籾が点播されるのである。
【００５０】
特に、点播された種籾は点播セッティング具１８０の後側に形成させた押圧板１８３によって周辺の土に突出部１８１が形成した直播用の溝をそっとまた覆って点播させた種籾を覆土する。
【００５１】
一方、キーシャフト１３８の持続的な回転により、回転板１６１の掛かり突起１６２が作動バー１６３から外れるようになり、これによってバネ１６５が収縮しながら作動バー１６３を引いて元の位置に戻ってくるようになるので、ガイドバー１５０は閉ざされるようになる。
【００５２】
この際、弾力を有するように設けられたメインガイド片１５１は、バネ１６５の弾性によってガイド具１５０に衝撃を与えながら元の位置に戻ってきて閉ざされるようになる。
【００５３】
よって、下部に田の土がついても衝撃エネルギーによって容易に落ちるようにするので、ガイド具１５０の下端が閉ざされる恐れがなく、これによって空播の発生を防止できる。
【００５４】
このような本発明は、上記の作用を持続的に繰り返しながら種籾を速やかに点播可能にするものである。
【符号の説明】
【００５５】
１００  播種機
１０１  支持フレーム
１１０  供給ホッパ
１１１  カバー
１１２  遮断板
１２０  供給ブロック
１２１  流入口
１２２  保護用ブラシ
１２３  排出口
１２４  軸孔
１３０  供給具
１３１  供給溝
１３２  回転軸
１３３  除去ピン
１３４  掛かり溝
１３５  ブッシュ
１３６  支持具
１３７  駆動ギヤ
１３８  キーシャフト
１４０  調節アセンブリー
１４１  調節レバー
１４２  調節ピン
１４３  軸ピン
１４４  軸孔
１４５  スライド溝
１４６  フレーム
１５０  ガイド具
１５１  メインガイド片
１５２  軸孔
１５３  補助ガイド片
１５４  排気孔
１６０  点播調節具
１６１  回転板
１６２  掛かり突起
１６３  作動バー
１６４  連結軸
１６５  バネ
１７０  送風機
１７１  送風ホース
１８０  点播セッティング具
１８１  突出部
１８２  ガイド片
１８３  押圧板
【図１】
0006030769.tif 000002
【図２】
0006030769.tif 000003
【図３】
0006030769.tif 000004
【図４】
0006030769.tif 000005
【図５】
0006030769.tif 000006
【図６】
0006030769.tif 000007
【図７】
0006030769.tif 000008
【図８】
0006030769.tif 000009
【図９】
0006030769.tif 000010
【図１０】
0006030769.tif 000011
【図１１】
0006030769.tif 000012
【図１２】
0006030769.tif 000013
【図１３】
0006030769.tif 000014
【図１４】
0006030769.tif 000015
【図１５】
0006030769.tif 000016
【図１６】
0006030769.tif 000017